(57)【特許請求の範囲】
【請求項１】
背後にある風景を見通し可能なシースルー状態に設定され得る第１表示部と、
前記第１表示部の背後に配置され得る第２表示部と、
前記第１表示部および前記第２表示部を制御する表示制御部と、
通信情報を受信する受信部と、
前記受信部により前記通信情報が受信されたことを通知するメッセージを作成する通信情報処理部と、を備え、
前記第１表示部の背後に前記第２表示部が配置された状態では、平面視において、前記第２表示部の表示領域が前記第１表示部の表示領域と重なり、
前記表示制御部は、前記第１表示部の背後に前記第２表示部が配置され、前記第２表示部に画像が表示され、前記画像が視認可能なように前記第１表示部がシースルー状態に設定されている状態で、前記受信部により前記通信情報が受信されると、前記通信情報処理部により作成された前記メッセージを前記第１表示部に表示し、前記第１表示部における前記メッセージ以外の表示領域を前記シースルー状態に設定する、
ことを特徴とする携帯端末装置。
【請求項２】
請求項１に記載の携帯端末装置において、
前記通信情報処理部は、前記受信部により受信された前記通信情報から抽出された一部の情報を前記メッセージとして作成する、
ことを特徴とする携帯端末装置。
【請求項３】
請求項１または２に記載の携帯端末装置において、
第１ユニットと、
前記第１ユニットが重なる第１位置と前記第１ユニットの横に並ぶ第２位置に移動可能な第２ユニットと、を備え、
前記第１表示部は、前記第１ユニットに設定され、
前記第２表示部は、前記第２ユニットに設定される、
ことを特徴とする携帯端末装置。
【請求項４】
請求項３に記載の携帯端末装置において、
前記表示部制御は、
前記第２ユニットが前記第１位置に位置づけられた状態で、前記第１表示部に前記メッセージを表示するとともに、前記第１表示部の前記メッセージ以外の表示領域を前記シースルー状態に設定し、
前記表示制御部は、前記第２ユニットが前記第２位置に移動させられたときに、前記第１表示部および前記第２表示部の少なくともいずれか一方に前記受信部により受信した前記通信情報を表示する、
ことを特徴とする携帯端末装置。
【請求項５】
背後にある風景を見通し可能なシースルー状態に設定され得る第１表示部と、
前記第１表示部の背後に配置され得る第２表示部と、
前記第1表示部と前記第２表示部を表示面が平行な方向に並ぶように前記第1表示部と前記第２表示部を相対的に移動させる機構部と、
前記第１表示部および前記第２表示部を制御する表示制御部と、
メッセージを作成するメッセージ作成部と、を備え、
前記第１表示部の背後に前記第２表示部が配置された状態では、平面視において、前記第２表示部の表示領域が前記第１表示部の表示領域と重なり、
前記表示制御部は、前記第１表示部が前記第２表示部に重なり、前記第２表示部に画像が表示され、前記画像が視認可能なように前記第１表示部がシースルー状態に設定されている状態にあるときに、前記メッセージ作成部によりメッセージが作成されると、前記メッセージ作成部により作成された前記メッセージを前記第１表示部に表示するとともに、前記第１表示部における前記メッセージ以外の表示領域を前記シースルー状態に設定する、
ことを特徴とする携帯端末装置。
【請求項６】
請求項５に記載の携帯端末装置において、
前記表示部制御は、前記第１表示部が前記第２表示部に重なった状態から、前記第１表
示部と前記第２表示部が並んだ状態に切り替えられたとき、前記第１表示部および前記第２表示部の少なくともいずれか一方に、前記メッセージに付随する情報を表示する、
ことを特徴とする携帯端末装置。
【発明の詳細な説明】
【技術分野】
【０００１】
本発明は、携帯電話機やＰＤＡ（Personal Digital Assistant）等の携帯端末装置に関するものである。
【背景技術】
【０００２】
従来、電子メールや電話などの通信情報を受信した際に、受信を知らせる機能が設けられた携帯端末装置が知られている（たとえば、特許文献１）。この種の携帯端末装置では、テレビ番組を視聴している際に、電子メールを受信すると、テレビ番組の表示領域の一部に電子メールの受信を知らせるメッセージが表示される。
【先行技術文献】
【特許文献】
【０００３】
【特許文献１】特開２０１０−１７１９９２号公報
【発明の概要】
【発明が解決しようとする課題】
【０００４】
しかし、上記従来技術では、テレビ番組が表示されている表示領域に電子メール受信のメッセージが表示されているため、メッセージがテレビ番組と異なるものであることを認識し難い。
【０００５】
本発明は、かかる課題に鑑みて為されたものであり、通信情報の受信を知らせるメッセージを容易に認識することができる携帯端末装置を提供することを目的とする。
【課題を解決するための手段】
【０００６】
本発明の第１の態様に係る携帯端末装置は、背後にある風景を見通し可能なシースルー状態に設定され得る第１表示部と、前記第１表示部の背後に配置され得る第２表示部と、前記第１表示部および前記第２表示部を制御する表示制御部と、通信情報を受信する受信部と、前記受信部により前記通信情報が受信されたことを通知するメッセージを作成する通信情報処理部とを備える。前記第１表示部の背後に前記第２表示部が配置された状態では、平面視において、前記第２表示部の表示領域が前記第１表示部の表示領域と重なる。前記表示制御部は、前記第１表示部の背後に前記第２表示部が配置され、前記第２表示部に画像が表示され、前記画像が視認可能なように前記第１表示部がシースルー状態に設定されている状態で、前記受信部により前記通信情報が受信されると、前記通信情報処理部により作成された前記メッセージを前記第１表示部に表示し、前記第１表示部における前記メッセージ以外の表示領域を前記シースルー状態に設定する。
【０００７】
本態様に係る携帯端末装置によれば、通信情報を受信したことを通知するメッセージが、第２表示部とは別の第１表示部に表示される。したがって、第２の表示部に前記メッセージ以外の情報が表示されたとしても、第１および第２表示部の間に間隔があるため、各表示部に表示される情報が別々に視認され得る。よって、ユーザは、各表示部の情報を異なるものであることを容易に理解できる。
【０００８】
また、本態様に係る携帯端末装置によれば、ユーザは、第１表示部に表示されたメッセージを見ることにより、通信情報が受信されたことを知ることができる。
【０００９】
さらに、本態様に係る携帯端末装置によれば、ユーザは、通信情報以外のシースルー状態の表示領域を通して、表示領域の背後にある第２表示部を見ることができる。よって、第１表示部にメッセージが表示されても、ユーザが第２表示部の画像に対して操作したり閲覧したりする行為は妨げられない。
【００１０】
本発明の携帯端末装置において、前記通信情報処理部は、前記受信部により受信された
前記通信情報から抽出された一部の情報を前記メッセージとして作成する。
【００１１】
このような構成とすれば、通信情報から要点などが抽出され、要点がメッセージとして第１表示部に表示される。これにより、第１表示部に表示されるメッセージの領域は小さいことから、メッセージにより遮られる第２表示部の領域が少なくて済む。
【００１２】
本発明の携帯端末装置は、第１ユニットと、前記第１ユニットが重なる第１位置と前記第１ユニットの横に並ぶ第２位置に移動可能な第２ユニットと、を備え得る。ここで、前記第１表示部は、前記第１ユニットに設定され、前記第２表示部は、前記第２ユニットに設定される。
【００１３】
この場合、前記表示部制御は、前記第２ユニットが前記第１位置に位置づけられた状態で、前記第１表示部に前記メッセージを表示するとともに、前記第１表示部の前記メッセージ以外の表示領域を前記シースルー状態に設定するよう構成され得る。また、前記表示制御部は、前記第２ユニットが前記第２位置に移動させられたときに、前記第１表示部および前記第２表示部の少なくともいずれか一方に前記受信部により受信した前記通信情報を表示するよう構成され得る。
【００１４】
このような構成とすれば、第２ユニットを第１位置から第２位置に移動させるだけで、受信した通信情報が第１表示部、第２表示部または両方の表示部に表示される。このため、ユーザは簡単に受信した通信情報を見ることができる。
【００１５】
本発明の第２の態様に係る携帯端末装置は、背後にある風景を見通し可能なシースルー状態に設定され得る第１表示部と、前記第１表示部の背後に配置され得る第２表示部と、前記第1表示部と前記第２表示部を表示面が平行な方向に並ぶように前記第1表示部と前記第２表示部を相対的に移動させる機構部と、前記第１表示部および前記第２表示部を制御する表示制御部と、メッセージを作成するメッセージ作成部と、を備える。前記第１表示部の背後に前記第２表示部が配置された状態では、平面視において、前記第２表示部の表示領域が前記第１表示部の表示領域と重なる。前記表示制御部は、前記第１表示部が前記第２表示部に重なり、前記第２表示部に画像が表示され、前記画像が視認可能なように前記第１表示部がシースルー状態に設定されている状態にあるときに、前記メッセージ作成部によりメッセージが作成されると、前記メッセージ作成部により作成された前記メッセージを前記第１表示部に表示するとともに、前記第１表示部における前記メッセージ以外の表示領域を前記シースルー状態に設定する。
【００１６】
本態様に係る携帯端末装置によれば、メッセージが、第２表示部とは別の第１表示部に表示される。したがって、第２の表示部に前記メッセージ以外の情報が表示されたとしても、第１および第２表示部の間に間隔があるため、各表示部に表示される情報が別々に視認され得る。よって、ユーザは、各表示部の情報を異なるものであることを容易に理解できる。
【００１７】
第２の態様に係る携帯端末装置において、前記表示部制御は、前記第１表示部が前記第２表示部に重なった状態から、前記第１表示部と前記第２表示部が並んだ状態に切り替えられたとき、前記第１表示部および前記第２表示部の少なくともいずれか一方に、前記メッセージに付随する情報を表示するよう構成され得る。
【００１８】
このような構成とすれば、前記第１表示部が前記第２表示部に重なった状態から、前記第１表示部と前記第２表示部が並んだ状態に切り替えるだけで、メッセージに付随する情報が第１表示部、第２表示部または両方の表示部に表示される。このため、ユーザは簡単にメッセージに付随する情報を見ることができる。また、このように、透明な表示部を用いて情報の表示を切り替えることで、携帯端末装置における利便性ないし表示の面白みを高めることができる。
【発明の効果】
【００１９】
以上のとおり、本発明によれば、通信情報の受信を知らせるメッセージを容易に認識することができる携帯端末装置を提供することができる。
【００２０】
本発明の効果ないし意義は、以下に示す実施の形態の説明により更に明らかとなろう。ただし、以下に示す実施の形態は、あくまでも、本発明を実施化する際の一つの例示であって、本発明は、以下の実施の形態に記載されたものに何ら制限されるものではない。
【図面の簡単な説明】
【００２１】
【図１】実施の形態に係る携帯端末装置の全体を示す斜視図である。
【図２】実施の形態に係る携帯端末装置を示す断面図である。
【図３】実施の形態に係る携帯端末装置の動作を説明するための斜視図である。
【図４】実施の形態に係る携帯端末装置の回路を示すブロック図である。
【図５】実施の形態に係るメッセージを表示する処理手順を示すフローチャートである。
【図６】実施の形態に係る第１表示領域にメッセージを表示する状態を示す図である。
【図７】実施の形態に係る第１表示領域にメッセージを表示する状態を示す図である。
【図８】実施の形態に係る第１表示領域にメッセージを表示する状態を示す図である。
【発明を実施するための形態】
【００２２】
以下、図を参照して、本実施の形態に係る携帯端末装置１について説明する。
【００２３】
＜携帯端末装置の構成＞
図１（ａ）は、携帯端末装置１の第１ユニット１０を第２ユニット２０に重ねた状態を示す斜視図である。図１（ｂ）は、携帯端末装置１の第１ユニット１０と第２ユニット２０とを並べた状態を示す斜視図である。図２（ａ）は、図１（ａ）のＡ−Ａ’線における断面図である。図２（ｂ）は、図１（ａ）のＢ−Ｂ’線における断面図である。なお、本実施形態では、第１ユニット１０の位置が第２ユニット２０に対して上側になり、携帯端末装置１が水平に置かれた状態で、第１ユニット１０および第２ユニット２０が重なる方向を縦方向と称し、縦方向に垂直な方向を横方向と称す。
【００２４】
携帯端末装置１は、携帯電話機やＰＤＡなど通信機能を有するコンピュータである。携帯端末装置１は、第１ユニット１０および第２ユニット２０を備える。
【００２５】
第１ユニット１０は、第２ユニット２０の上に重ねられ、第２ユニット２０に対してスライド可能である。第１ユニット１０は、第１底部１１を備える。
【００２６】
第１底部１１は、長方形状であり、ポリカーボネートやアクリルなどの透明樹脂により射出成型で形成される。第１底部１１には、２つの底貫通孔１１ａが互いに間隔を隔てて設けられる。底貫通孔１１ａは、細長く、第１ユニット１０がスライドする方向に延びる。底貫通孔１１ａには、スライド部１２が嵌められている。
【００２７】
スライド部１２は、細長い部材の本体部分を有する。本体部分は、底貫通孔１１ａに嵌められ、後述する第２蓋部２７より上方に突き出る。スライド部１２は、本体部分の中間部に挿入孔１２ａを有し、本体部分の端部に係止部１２ｂを有する。係止部１２ｂは、底貫通孔１１ａおよび後述するガイド孔２７ａを通り、第２蓋部２７の中に配される。係止部１２ｂには、貫通孔１２ｃが形成されている。貫通孔１２ｃは、本体部分の上面から係止部１２ｂの側面へ貫き、第１ユニット１０と第２ユニット２０の中とを連結している。
２つのスライド部１２の間で第１底部１１の上に、第１表示部１３が配置されている。
【００２８】
第１表示部１３は、長方形の平板形状であって、たとえば、透明な液晶表示器により構成される。液晶表示器は、液晶パネルを含み、液晶パネルの背後に照明部（バックライト）が配されていない。液晶パネルは、表示モードがノーマリーホワイトである。液晶パネルは、２枚の透明板（図示せず）の間に透明液晶（図示せず）および透明電極（図示せず）が挟まれて構成される。第１表示部１３は、外部を向く第１表示領域１３ｂを有する。第１表示部１３の端に電極１３ａが設けられ、第１表示部１３の上に第１入力部１４が重ねられている。
【００２９】
電極１３ａは、透明な液晶表示器と配線１５とを接続する。配線１５には、フレキシブル基板が用いられる。配線１５は、係止部１２ｂの貫通孔１２ｃを通り、第２蓋部２７の中へ抜ける。
【００３０】
第１入力部１４には、ユーザによる接触の存在および位置を検出するタッチセンサなどが用いられる。タッチセンサは、透明な長方形状のシートであり、マトリクス状に２つの透明電極（図示せず）が組み込まれている。タッチセンサは、これら透明電極間の静電容量の変化を検出することによって、ユーザの指などが第１表示領域１３ｂにおいて触れた位置を検出し、その位置に応じた信号を出力する。第１入力部１４の配線は、第１表示部１３の配線１５と同様に、係止部１２ｂの貫通孔１２ｃを通り、第２蓋部２７の中に導かれる。
【００３１】
第１蓋部１６は、第１入力部１４を覆うように、第１底部１１の上に載せられる。第１蓋部１６は、ポリカーボネートやアクリルなどの透明樹脂により射出成型で形成される。第１蓋部１６には、２つの蓋貫通孔１６ａが設けられる。蓋貫通孔１６ａは、底貫通孔１１ａの上に設けられ、蓋貫通孔１６ａに被覆部１７が嵌められる。
【００３２】
被覆部１７は、不透明な樹脂により射出成型で形成される。被覆部１７は、底貫通孔１１ａの中に納まるスライド部１２を覆う。被覆部１７にはネジ孔１７ａが設けられている。ネジ孔１７ａとスライド部１２の挿入孔１２ａとにビス１８が嵌られることにより、スライド部１２および被覆部１７が縦方向に接続される。
【００３３】
スライド部１２および被覆部１７が接続されることにより、第１蓋部１６と第１底部１１とが固定され、第１ユニット１０が組み立てられる。
【００３４】
第２ユニット２０は、第２底部２１を備える。第２底部２１は、長方形状であり、第１蓋部１６とほぼ同じ大きさである。第２底部２１の中には支持部２１ａが設けられる。支持部２１ａは、細長い突条部であって、第１ユニット１０がスライドする方向に延びる。支持部２１ａの上に、受部２６が配置されている。
【００３５】
受部２６は、底板および側板を有し、第１ユニット１０がスライドする方向に延びる。受部２６は、ガイド孔２７ａの下に配置され、ガイド孔２７ａから突き出た係止部１２ｂに添えられる。
【００３６】
電池２２は、第２底部２１の中に配置され、電池２２の上に基板２３が重ねられている。基板２３の表面にはコネクタ２３ａと、ＣＰＵ２３ｂやメモリ２３ｃなどの電子部品（図示せず）とが配される。コネクタ２３ａおよび電子部品の間が配線（図示せず）で接続される。また、電池２２の横にコネクタ２２ａが設けられている。コネクタ２２ａには、基板２３および電池２２が接続されるとともに、第１表示部１３の配線１５および第１入力部１４の配線が接続される。基板２３の上に、第２表示部２５が積み重ねられる。
【００３７】
第２表示部２５は、たとえば、透明でない液晶表示器で構成される。液晶表示器は、液晶パネル２５ａと、液晶パネル２５ａを照明するための照明部とを有する。液晶パネル２５ａは、２枚の透明板（図示せず）の間に透明液晶（図示せず）および透明電極（図示せず）が挟まれて構成される。照明部は、導光板２５ｂおよび発光部２５ｃを含む。導光板２５ｂは、発光部２５ｃからの光を第２表示部２５に導くように、発光部２５ｃの横で、かつ液晶パネル２５ａの下に配置される。液晶パネル２５ａの上に、第２入力部２４が積み重ねられる。
【００３８】
第２入力部２４は、たとえば、タッチセンサが用いられる。タッチセンサは、透明な長方形状のシートである。タッチセンサには、マトリクス状に２つの透明電極（図示せず）が組み込まれ、透明電極に配線（図示せず）が接続される。
【００３９】
発光部２５ｃ、液晶パネル２５ａおよび第２入力部２４にはそれぞれ配線（図示せず）が配され、これらの配線は基板２３に接続される。
【００４０】
第２蓋部２７は、第２底部２１に連結されて、第２ユニット２０を形成する。第２蓋部２７の中央には、表示窓２７ｂが形成されている。第２表示部２５の第２表示領域２５ｄが、表示窓２７ｂを通じて外部に臨む。また、第２蓋部２７には、２つのガイド孔２７ａが互いに間隔を隔てて設けられる。ガイド孔２７ａを通る係止部１２ｂが、ガイド孔２７ａを囲む第２蓋部２７の縁に係止されることにより、第１ユニット１０と第２ユニット２０が連結される。
【００４１】
＜携帯端末装置の動作＞
図３（ａ）は、第１ユニット１０および第２ユニット２０が重ねられた時の配線１５を示す斜視図である。図３（ｂ）は、第１ユニット１０および第２ユニット２０が並べられた時の配線１５を示す斜視図である。なお、図３（ａ）および図３（ｂ）において、配線１５の様子がわかりやすいように、第１蓋部１６などの一部の部品が破線で表わされている。
【００４２】
図１（ａ）のように、第１ユニット１０が第２ユニット２０に重なった状態では、第１表示領域１３ｂが外部に臨み、第２表示領域２５ｄが第１ユニット１０の下に隠れる。以下、この携帯端末装置１の状態を閉状態といい、表示形態を第１形態という。
【００４３】
第１形態では、図３（ａ）に示すように、スライド部１２の係止部１２ｂが、ガイド孔２７ａの一方端、即ち、基板２３のコネクタ２３ａの近傍に位置する。配線１５は、係止部１２ｂの貫通孔１２ｃから受部２６に沿って延び、途中で折れ曲がり、受部２６に沿いながら貫通孔１２ｃの方に戻り、コネクタ２３ａに接続される。
【００４４】
一方、図１（ｂ）に示すように、第１ユニット１０が第２ユニット２０の側方に引き出されると、第１表示領域１３ｂおよび第２表示領域２５ｄの両方が外部に臨む。このとき、第１ユニット１０の端部が第２表示領域２５ｄの端部にわずかに重なり、第１表示領域１３ｂと第２表示領域２５ｄが隙間のない状態で横に並ぶ。以下。この携帯端末装置１の状態を開状態といい、表示形態を第２形態という。
【００４５】
第２形態では、図３（ｂ）に示すように、スライド部１２の係止部１２ｂがガイド孔２７ａの一方端から他方端へ移動し、ガイド孔２７ａが開口する。係止部１２ｂが基板２３のコネクタ２３ａの位置から遠ざかり、配線１５は、係止部１２ｂの貫通孔１２ｃから基板２３のコネクタ２３ａへ直線状に延びる。
【００４６】
なお、第１形態と第２形態とに切り替わることで、第１形態における第１ユニット１０に重なる第１位置と、第２形態における第１ユニット１０の横に並ぶ第２位置とを、第２ユニット２０は移動する。
【００４７】
＜携帯端末装置の回路＞
図４は、携帯端末装置１の回路のブロック図を示す。
【００４８】
本実施の形態の携帯端末装置１は、上述した各構成要素の他、ＣＰＵ２３ｂ、メモリ２３ｃ、通信モジュール３０および開閉センサ２８を備えている。
【００４９】
第１表示部１３および第２表示部２５は、ＣＰＵ２３ｂから画像信号を受ける。これら画像信号に基づいて各表示部１３、２５の透明電極に電圧が加えられることで、液晶の配向が変化し、液晶を通過する光が変調される。これにより、各表示部１３、２５では、アイコンやキーボードなどの図、写真、文字、絵およびウインドウなどの画像が各表示領域１３ｂ、２５ｄに表示される。また、第１表示部１３では、電圧が加えられていない範囲において、透過率が最大となり、光が透過する。ここで、第１表示部１３を挟む第１蓋部１６、第１入力部１４および第１底部１１が透明であるため、第１表示部１３において光が透過する範囲は、透明または半透明になっており、第１表示部１３の背後にある風景を見通し可能なシースルー状態になる。
【００５０】
第２表示部２５の発光部２５ｃには、ＣＰＵ２３ｂからの制御信号により、電池２２からの電力が供給される。これにより、発光部２５ｃが発光する。発光した光は、導光板２５ｂの側面から導光板２５ｂに入射し、導光板２５ｂの内部で反射しながら、光の一部が導光板２５ｂの表面から液晶パネル２５ａ側に出る。これにより、導光板２５ｂの全体から光が均一に発せられ、液晶パネル２５ａへ光が照射される。
【００５１】
第１入力部１４は、第１表示部１３に対して指示された位置を検出し、指示位置に応じた位置信号をＣＰＵ２３ｂに出力する。
【００５２】
第２入力部２４は、第２表示部２５に対して指示された位置を検出して、指示位置に応じた位置信号をＣＰＵ２３ｂに出力する。
【００５３】
電池２２は、ＣＰＵ２３ｂからの制御信号を受けて、制御信号に応じて電力をＣＰＵ２３ｂや各表示部１３、２５および各入力部１４、２４などに供給する。
【００５４】
メモリ２３ｃは、ＲＯＭおよびＲＡＭを含む記憶部である。メモリ２３ｃには、ＣＰＵ２３ｂに制御機能を付与するための制御プログラムが記憶されている。また、メモリ２３ｃには、カメラモジュール（図示せず）で撮影した映像情報や通信モジュール３０を介して外部から取り込んだ映像情報およびテキスト情報などが所定のファイル形式で保存される。
【００５５】
通信モジュール３０は、電話や電子メールなどの通信情報を送信する送信部である。通信モジュール３０は、ＣＰＵ２３ｂからの音声信号や映像信号、テキスト信号などを無線信号に変換し、アンテナを介して基地局へ送信する。また、通信モジュール３０は、電話や電子メールなどの通信情報、およびテレビなどの無線信号をアンテナを介して受信する受信部でもある。通信モジュール３０は、受信した無線信号を音声信号や映像信号、テキスト信号などに変換してＣＰＵ２３ｂへ出力する。
【００５６】
開閉センサ２８は第１形態において磁石に近接する位置に配置され、磁石は係止部１２ｂの近傍に配置される。開閉センサ２８は、配線により基板２３に接続され、基板２３の
ＣＰＵ２３ｂとの間で信号を送受信する。第１形態において磁石が開閉センサ２８の近傍に存在する場合、開閉センサ２８は、磁石の磁界を検出し、検出信号をＣＰＵ２３ｂに出力する。反対に、第２形態において磁石が開閉センサ２８から離れている場合、開閉センサ２８は、磁石の磁界を検出せず、検出信号をＣＰＵ２３ｂに出力しない。
【００５７】
ＣＰＵ２３ｂは、表示制御部２３ｂ１および通信情報処理部２３ｂ２を有する。これら各部は、ＣＰＵ２３ｂによって実行されるプログラムの機能として実現される。
【００５８】
表示制御部２３ｂ１は、メモリ２３ｃから読み出したり、通信モジュール３０を経由して受信したりして、文字や写真、絵などの画像情報を取得する。表示制御部２３ｂ１は、画像情報を画像信号として第１表示部１３および第２表示部２５のそれぞれに出力し、各表示領域１３ｂ、２５ｄに画像を表示させる。
【００５９】
表示制御部２３ｂ１は、電池２２から第１表示部１３に供給される電力を調整する制御信号を出力することにより、透明電極に加えられる電圧を制御し、第１表示部１３の透過率を変化させる。これにより、表示制御部２３ｂ１は、第１表示領域１３ｂにおいて画像が表示されている範囲以外の範囲をシースルー状態に設定する。
【００６０】
表示制御部２３ｂ１は、画像を第２表示部２５に表示させる際に、電池２２から発光部２５ｃに電力を供給させ、発光部２５ｃを発光させる。
【００６１】
通信情報処理部２３ｂ２は、通信モジュール３０により通信情報が受信されたことを通知するメッセージを作成する。
【００６２】
＜携帯端末装置の機能＞
図５は、メッセージを表示領域に表示する処理手順を示すフローチャートである。図６（ａ）は、メッセージを第１表示領域１３ｂに表示した第１形態の携帯端末装置１を示す。図６（ｂ）は、受信した通信情報を第１表示領域１３ｂに表示した第２形態の携帯端末装置１を示す。
【００６３】
ユーザが各表示領域１３ｂ、２５ｄを操作して、メッセージを表示する機能が選択されると、この機能の制御モードが起動される。
【００６４】
図６（ａ）および図６（ｂ）に示すように、第１形態または第２形態において、テレビ映像を表示するプログラムが起動され、テレビ映像が第２表示領域２５ｄに表示されている。なお、第１形態においては、第１表示部１３がシースルー状態に設定されて、第１表示部が第２表示領域２５ｄの上に重ねられている。このため、ユーザは第１表示領域１３ｂを介して第２表示領域２５ｄに表示されるテレビ映像を見ることができる。
【００６５】
このように、第２表示領域２５ｄに画像を表示している状態において、電子メールが通信モジュール３０により受信されると（Ｓ２０１）、電子メールがメモリ２３ｃに保存され、また、開閉センサ２８からの信号の有無が判断される。開閉センサ２８から検出信号が入力されていなければ、ＣＰＵ２３ｂは、携帯端末装置１が開状態であって、この表示形態が第２形態であると判定する（Ｓ２０２：ＮＯ）。
【００６６】
図６（ｂ）に示すように、第２形態においては、第１表示領域１３ｂおよび第２表示領域２５ｄが横に並べられ、両方の表示領域をユーザが見ることができる。このため、通知情報処理部２３ｂ２は、全ての電子メールの情報をメモリ２３ｃから読み出す。そして、表示制御部２３ｂ１は、テレビの映像を第２表示領域２５ｄに表示したまま、全ての電子メールの情報を第１表示領域１３ｂに表示する。全ての電子メールの情報としては、たと
えば件名、送信者、送信日時および本文である。これにより、第２表示領域２５ｄに表示されるテレビ映像の邪魔にならないように、第１表示領域１３ｂに受信した電子メールが表示されて、電子メールの受信が知らされる。
【００６７】
一方、ＣＰＵ２３ｂは、開閉センサ２８から閉状態を示す検出信号が入力されると、携帯端末装置１が閉状態であって、この表示形態が第１形態であると判定する（Ｓ２０２：ＹＥＳ）。
【００６８】
続いて、通信情報処理部２３ｂ２は、電子メールが届いた旨を通知するメッセージを作成する。ここでは、通信情報処理部２３ｂ２は、メモリ２３ｃに保存された電子メールの情報の中から件名を抽出し、この件名によりメッセージを作成する（Ｓ２０４）。
【００６９】
表示制御部２３ｂ１は、件名をメモリ２３ｃから読み出し、メッセージとして第１表示領域１３ｂに表示させる（Ｓ２０５）。これにより、図６（ａ）に示すように、テレビ映像が表示されている第２表示領域２５ｄの上に、第１表示領域１３ｂに表示されるメッセージが浮かび上がる。この場合、電子メールの件名である「Ｇｏｏｄ  ｎｉｇｈｔ」が第２表示領域２５ｄの上に現われ出て、電子メールの受信が知らされる。
【００７０】
ユーザがメッセージに気付いて、携帯端末装置１を第１形態から第２形態に切り替えると、開閉センサ２８から閉状態を示す検出信号がなくなる。このため、ＣＰＵ２３ｂは、携帯端末装置１が開状態であって、この表示形態が第２形態であると判定する(Ｓ２０６
：ＹＥＳ)。
【００７１】
第２形態では、第１表示領域１３ｂが第２表示領域２５ｄの横に配置されるため、通知情報処理部２３ｂ２は、全ての電子メールの情報をメモリ２３ｃから読み出す。そして、表示制御部２３ｂ１は、第２表示領域２５ｄにテレビ映像を表示し続けながら、メッセージに付随する情報として電子メールの情報の全部を第１表示領域１３ｂに表示する（Ｓ２０７)。これにより、ユーザは、テレビ映像が遮断されることなく、全ての電子メールの
情報を見られる。
【００７２】
以上、本実施形態によれば、第２表示領域２５ｄに画像を表示している場合に、第１表示領域１３ｂに電子メールの情報の一部を表示する。これにより、第２表示領域２５ｄに画像を表示する処理を妨げることなく、第１表示領域１３ｂに電子メールの情報を表示し、電子メールの受信をユーザに知らせられる。
【００７３】
また、本実施形態によれば、第１形態において、第２表示領域２５ｄに画像が表示され、その上の第１表示領域１３ｂにメッセージが表示される。このため、第２表示領域２５ｄの画像の上にメッセージが重なるが、画像とメッセージとは表示領域が異なる上、これらの表示領域の間に距離が開いている。これにより、ユーザは、第２表示領域２５ｄの画像とメッセージとを異なる情報であることを簡単に見分けられる。よって、ユーザは、第２表示領域２５ｄの画像とメッセージとを混同することなく、第２表示領域２５ｄの画像を見ながら、メッセージにより電子メールの受信を知ることができる。
【００７４】
さらに、本実施形態によれば、第１形態では、第１表示領域１３ｂにおいてメッセージ以外の表示領域をシースルー状態に設定している。よって、ユーザは、シースルー状態の表示領域を通して、第２表示領域２５ｄの画像を見続けられる。
【００７５】
また、本実施形態によれば、ユーザは、第１形態から第２形態に携帯端末装置１を切り替えるだけで、全ての電子メールの情報が第１表示領域１３ｂに表示される。このため、ユーザは、第２表示領域２５ｄの画像を見ながら、第２表示領域２５ｄの横に配置される
第１表示領域１３ｂの電子メールの情報を見られる。
【００７６】
＜その他の実施形態＞
以上、本発明の実施の形態について説明したが、本発明は、上記実施の形態によって何ら制限されるものではなく、また、本発明の実施の形態も、上記以外に種々の変更が可能である。
【００７７】
上記実施形態によれば、通信情報処理部２３ｂ２は、電子メールの情報から件名を抽出し、この件名によりメッセージを作成した。これに対し、通信情報処理部２３ｂ２は、電子メールの本文の一部や送信者のメールアドレスなどを抽出し、これによりメッセージを作成することもできる。なお、送信者のメールアドレスの場合、メモリ２３ｃに格納されているアドレス帳から送信者の氏名を求めて、送信者の氏名をメッセージとすることもできる。
【００７８】
また、通信情報処理部２３ｂ２は、受信した電子メールの情報の一部の情報によりメッセージを作成した。しかし、電子メールの受信を知らせるものであれば、これに限定されない。たとえば、受信した電子メールの情報の全部をメッセージとすることもできる。また、「電子メールの受信」など予め定められた文章をメッセージとすることもできる。さらに、予め定められた図形や記号などをメッセージとすることもできる。
【００７９】
さらに、上記実施形態において、電子メールの情報に画像情報などが添付されている場合、これらの添付情報によりメッセージを作成することもできる。たとえば、通信情報処理部２３ｂ２は電子メールの情報から件名および添付ファイルの動画を抽出する。そして、図７に示すように、表示制御部２３ｂ１は、第１表示領域１３ｂに件名を表示し、その背景に手を振っている動画を表示する。
【００８０】
また、上記実施形態によれば、通信情報処理部２３ｂ２は、電子メールの受信を知らせるメッセージを作成したが、電話の呼出信号が受信されたことを通知するメッセージを作成することもできる。たとえば、メッセージには、着信中など予め定められたメッセージ、呼出信号に伴う情報の発信者の電話番号、発信者の氏名、および発信者に係る登録画像などがある。なお、発信者の氏名は、メモリ２３ｃに格納されているアドレス帳を参照し、発信者の電話番号から求められる。また、発信者に係る登録画像は、携帯端末装置１のユーザにより、発信者の電話番号に対応付けられて、メモリ２３ｃに格納されている。発信者に係る登録画像は、発信者の写真など発信者と関係する画像であってもよいし、発信者と無関係の画像であってもよい。さらに、図８（ａ）に示すように、着信中などの所定のメッセージが第１表示領域１３ｂに表示される場合、「応答」ボタンも第１表示領域１３ｂに表示することもできる。これにより、ユーザがメッセージから電話の着信があったことに気付くと、ユーザは、応答ボタンを選択することにより、着信に対して応答することができる。さらに、相手を識別して応答する場合、ユーザが表示形態を第１形態から第２形態に切り替える。これにより、図８（ｂ）に示すように、発信者に係る登録画像、呼出信号に伴う発信者の電話番号「○○−○○○○」および発信者の氏名「××  ××さん」が、メッセージに付随する情報として第１表示領域１３ｂに表示される。表示された発信者に係る登録画像や電話番号、氏名から、ユーザは発信者を判別することができる。また、電話番号と共に、応答および拒否を表わすボタンが第１表示領域１３ｂに表示される。ユーザは、応答ボタンまたは拒否ボタンを選択して、発信者に応じて着信に対して応答または拒否することができる。また、このように、携帯端末装置１が開状態に切り替えられるまで、発信者の電話番号および氏名が表示されない。よって、携帯端末装置１の状態が切り替えなければ、発信者の電話番号などのプライバシーが守られる。
【００８１】
さらに、上記実施形態において、メッセージを削除する処理を設けることもできる。た
とえば、表示制御部２３ｂ１は、メッセージと共に、メッセージを削除するためのボタンを第１表示領域１３ｂに表示する。この削除ボタンがユーザにより選択されると、メッセージが第１表示領域１３ｂに表示されなくなる。これにより、メッセージによってユーザが電子メールの受信を知ると、ユーザの都合に合わせてユーザの意思によりメッセージを削除できる。また、メッセージを表示してから所定時間が経過すると、メッセージが第１表示領域１３ｂに表示されなくなるようにすることもできる。これにより、ユーザが操作しなくても、メッセージは消去される。
【００８２】
また、上記実施形態によれば、携帯端末装置１が第１形態から第２形態に切り替えられると、全ての電子メールの情報が第１表示領域１３ｂに表示された。しかしながら、第２表示領域２５ｄに、または第１表示領域１３ｂおよび第２表示領域２５ｄの両方に電子メールの情報が表示されるようにしてもよい。
【００８３】
さらに、上記実施形態では、全ての電子メールの情報を表示領域１３ｂ、２５ｄに表示したが、電子メールの情報の一部を表示することもできる。また、全ての電子メールの情報を一度に表示することができない場合、電子メールの情報が表示される画面をスクロールできるようにしてもよい。
【００８４】
また、上記実施形態では、テレビ映像が第２表示領域２５ｄに表示されていたが、第２表示領域２５ｄに表示される画像はこれに限らず、ユーザの閲覧対象および操作対象などの画像であればよい。たとえば、電子メールやメモなど他のプログラムにより実行される画像である。
【００８５】
さらに、上記実施形態では、通信モジュール３０により受信された通信情報をメッセージとして第１表示領域１３ｂに表示したが、メッセージは通信情報の受信に係るものには限定されない。たとえば、メッセージは、携帯端末装置が圏外になった旨の通知やエラー通知など、プログラムの処理に係る通知であってもよい。この場合、携帯端末装置１が第１形態である状態で、第１表示領域１３ｂにエラー通知が表示される。これに応じて、携帯端末装置１が第１形態から第２形態に切り替えられると、メッセージに付随する情報として、処理エラーのアプリケーション名などが第２表示領域２５ｄに表示される。
【００８６】
この他、本発明の実施の形態は、特許請求の範囲に示された技術的思想の範囲内において、適宜、種々の変更が可能である。
【符号の説明】
【００８７】
１    …  携帯端末装置
１０  …  第１ユニット
１３  …  第１表示部
１４  …  第１入力部
２０  …  第２ユニット
２４  …  第２入力部
２５  …  第２表示部
２３ｂ  …  ＣＰＵ
２３ｂ１  …  表示制御部
２３ｂ２  …  通信情報処理部
３０  …  通信モジュール
【図１】
0005693117.tif 000002
【図２】
0005693117.tif 000003
【図３】
0005693117.tif 000004
【図４】
0005693117.tif 000005
【図５】
0005693117.tif 000006
【図６】
0005693117.tif 000007
【図７】
0005693117.tif 000008
【図８】
0005693117.tif 000009